(57)【特許請求の範囲】
【請求項１】
粘着面が表側を向くように巻回された粘着テープロールを回転可能に支持するロール支持部および上記ロール支持部の一端に設けられるグリップを有するクリーナー本体と、上記粘着テープロールの外周面を覆い隠す収納ケースとを備えた携帯クリーナーにおいて、
上記グリップは、上記ロール支持部の端部に上記粘着テープロールの軸線に対して直交する回転軸を中心に回動可能に連結されており、上記グリップと上記収納ケースとの間には、上記ロール支持部を上記収納ケース内に差し込んだ状態で、上記グリップを上記収納ケースの側面に沿って折り畳んで係止する係止手段が設けられていることを特徴とする携帯クリーナー。
【請求項２】
上記係止手段は、上記収納ケースの外周面に形成された係止凸部と、上記グリップの一部に開口された係止孔とを互いに嵌合させてなることを特徴とする請求項１に記載の携帯クリーナー。
【請求項３】
上記ロール支持部と上記グリップとの間には、上記グリップを上記ロール支持部の端部から直線状に引き出した状態で固定するためのロック手段が設けられていることを特徴とする請求項１または２に記載の携帯クリーナー。
【請求項４】
上記係止凸部が形成された上記収納ケースの外周面の一部分は、上記グリップを収納するため凹まされており、上記グリップは、外周面が円弧状に形成され、上記グリップを上記収納ケースの凹部に沿って折り畳むことにより、上記収納ケースの外周面と上記グリップの外周面とがほぼ１つの円弧面を形成することを特徴とする請求項１，２または３に記載の携帯クリーナー。
【請求項５】
上記収納ケースの内部の突き当たりには、上記ロール支持部の回転を規制して、所定の位置に案内するガイドリブが設けられていることを特徴とする請求項１ないし４のいずれか１項に記載の携帯クリーナー。
【発明の詳細な説明】
【技術分野】
【０００１】
本発明は、例えば衣服の表面に沿って粘着面が表側を向くように巻回された粘着テープロールを転がすことで、衣服に付いた埃などを粘着面で補足する携帯クリーナーに関し、さらに詳しく言えば、小型で携帯性のよい粘着式の携帯クリーナーに関する。
【背景技術】
【０００２】
衣服などに付いた埃や髪の毛を簡単に取る清掃具の１つに粘着式清掃具がある。例えば特許文献１に示すように、この粘着式清掃具は、粘着面が表側を向くように巻回された粘着テープロールを回転可能に支持する清掃具本体を有し、清掃具本体の一端に取り付けられたグリップを把持して、粘着面を被清掃面である衣服に沿って転がすことで、衣服に付着したゴミを粘着面で補足して回収するようになっている。
【０００３】
これによれば、髪の毛など衣類に絡みやすいゴミであっても、粘着テープの粘着力によって確実に回収することができるし、花粉などの非常に微細なゴミも粘着式であれば、埃を立てることなく回収することができる。さらには、粘着テープで補足されたゴミは、外側の粘着テープを剥がし取って捨てるだけで簡単に廃棄できるため、極めて衛生的である。
【０００４】
【特許文献１】特開２００７−２８９３０１号公報
【発明の開示】
【発明が解決しようとする課題】
【０００５】
しかしながら、従来の粘着式清掃具には、次のような問題があった。すなわち、花粉などの飛び交う時期においては、外出先で衣服に付着した花粉や埃を除去したいと思う人がいるが、従来の粘着式清掃具は、粘着テープロールの支持部とグリップとが一体的に形成されていたため、大型であり、携帯性が悪かった。
【課題を解決するための手段】
【０００６】
そこで、本発明は上述した課題を解決するためになされたものであって、その目的は、携帯性の良い粘着式の携帯クリーナを提供することにある。
【０００７】
上述した目的を達成するため、本発明は以下に示すいくつかの特徴を備えている。請求項１に記載の発明によれば、粘着面が表側を向くように巻回された粘着テープロールを回転可能に支持するロール支持部および上記ロール支持部の一端に設けられるグリップを有するクリーナー本体と、上記粘着テープロールの外周面を覆い隠す収納ケースとを備えた携帯クリーナーにおいて、上記グリップは、上記ロール支持部の端部に上記粘着テープロールの軸線に対して直交する回転軸を中心に回動可能に連結されており、上記グリップと上記収納ケースとの間には、上記ロール支持部を上記収納ケース内に差し込んだ状態で、上記グリップを上記収納ケースの側面に沿って折り畳んで係止する係止手段が設けられていることを特徴としている。
【０００８】
請求項２に記載の発明は、上記請求項１において、上記係止手段は、上記収納ケースの外周面に形成された係止凸部と、上記グリップの一部に開口された係止孔とを互いに嵌合させてなることを特徴としている。
【０００９】
請求項３に記載の発明は、上記請求項１または２において、上記ロール支持部と上記グリップとの間には、上記グリップを上記ロール支持部の端部から直線状に引き出した状態で固定するためのロック手段が設けられていることを特徴としている。
【００１０】
請求項４に記載の発明は、上記請求項１，２または３において、上記係止凸部が形成された上記収納ケースの外周面の一部分は、上記グリップを収納するため凹まされており、上記グリップは、外周面が円弧状に形成され、上記グリップを上記収納ケースの凹部に沿って折り畳むことにより、上記収納ケースの外周面と上記グリップの外周面とがほぼ１つの円弧面を形成することを特徴としている。
【００１１】
請求項５に記載の発明は、上記請求項１ないし４のいずれか１項において、上記収納ケースの内部の突き当たりには、上記ロール支持部の回転を規制して、所定の位置に案内するガイドリブが設けられていることを特徴としている。
【発明の効果】
【００１２】
請求項１に記載の発明によれば、収納ケースのロール支持部を差し込んだ状態で、グリップを収納ケースに沿って折り畳むことで、クリーナー本体をコンパクトに折り畳むことができるばかりでなく、収納ケースとグリップとを係止することで、クリーナーの脱落を確実に防止することができる。
【００１３】
請求項２に記載の発明によれば、収納ケース側に形成された係止凸部にグリップ側に形成された係止孔を嵌合させることで、簡単かつ確実に収納ケースにクリーナー本体を固定することができる。
【００１４】
請求項３に記載の発明によれば、ロール支持部とグリップとを直線状に保持することができるため、袖周りだけでなく、衣類の背中や太ももの裏側などの手の届きにくい場所も簡単に清掃することができる。
【００１５】
請求項４に記載の発明によれば、収納ケースの一部が凹まされ、そこにグリップが沿うように収納されることにより、収納ケースの外周面とグリップの外周面とが形状的に合致して１つの円弧面を形成することにより、手で握った際のフィット感がよく、意匠的にも統一感が生まれる。
【００１６】
請求項５に記載の発明によれば、収納ケース内部の突き当たりに、ロール支持部の回転を規制し、所定の位置に案内するガイドリブを設けたことにより、収納ケース内でロール支持部が回転したり、がたついたりするのを確実に防止できるばかりでなく、グリップの折り畳み位置も同時に位置決めできる。
【発明を実施するための最良の形態】
【００１７】
次に、本発明の実施形態について図面を参照しながら説明する。図１は、本発明の一実施形態に係る携帯クリーナーの分解正面図である。図２は、グリップを折り畳んだ状態と展開した状態を示すクリーナー本体の正面図であり、図３は、クリーナー本体の平面図および底面図であり、図４は、収納ケースの中央横断面図および中央縦断面図である。図５は、クリーナ本体を収納ケース内に収納した状態の断面図およびグリップを折り畳んだ状態の断面図である。
【００１８】
図１に示すように、この携帯クリーナー（粘着式清掃具）１は、粘着テープロールＴを回転可能に支持するクリーナー本体２と、同クリーナー本体２の不使用時に粘着テープロールＴを覆うように取り付けられる収納カバー３とを備えている。この例において、クリーナー本体２および収納カバー３は、合成樹脂の成型品からなる。
【００１９】
この例において、粘着テープロールＴは、片面粘着テープの粘着面が表側を向くように多重に巻回された清掃用粘着テープロールの一般的な形態を備えていればよく、粘着剤の各種性状や仕様、塗布形態は仕様に応じて任意であり、粘着テープの材質なども任意である。さらには、切れ目やエンボス加工などの機械的な加工も任意に施されてよい。
【００２０】
図２および図３を併せて参照して、クリーナー本体２は、粘着テープロールＴが回動可能に取り付けられるロール支持部４を備えている。
【００２１】
ロール支持部４は、粘着テープロールＴの巻芯径よりも若干小径な棒状に形成されており、所定間隔で巻芯の内周面に沿って摺接する環状リブ４１が軸線方向に沿って所定間隔で複数、この例では５箇所設けられている。
【００２２】
ロール支持部４の先端（図２では左側）には、粘着テープロールＴが受け落ちないようにするためのストッパー４２が設けられている。ストッパー４２は、一端がロール支持部４１の先端に片持ちで支持され、先端には抜け止め用のフランジ部４３が一体的に形成されている。
【００２３】
フランジ部４３は、外形が粘着テープロールＴの巻芯径よりも直径が若干大径に形成された半円状に形成されており、図１に示すように、フランジ部４３の側面で粘着テープロールＴの側面（図１では左側面）を支持するようになっている。
【００２４】
ロール支持部４のロール支持部４の他端（図２では右端）は、粘着テープロールＴの他端（図１では右端）を受け止めるための支持壁４４が設けられている。支持壁４４の外周面には、後述するグリップ５をロール支持部４に対して直線に連結した状態で固定するための一方のロック手段としての係止溝４５が設けられている。
【００２５】
係止溝４５は、グリップ５の回転軸５１の軸線方向に沿って平行に切り欠かれた切欠溝からなり、この係止溝４５にグリップ５に形成された係止凸部５２が弾性的に係止されることで、ロール支持部４とグリップ５とが直線状に連結される。
【００２６】
ロール支持部４の他端（図２では右端）には、手によって把持されるグリップ５が設けられている。グリップ５は、手によって把持しやすい矩形状に形成されており、粘着テープロールＴの軸線に対して直交する回転軸５１を中心に１８０°回動可能に取り付けられている。
【００２７】
図２および図３に示すように、グリップ５の基端側には、上述したロール支持部４の係止溝４５に嵌合される係止凸部５２が設けられている。係止凸部５２は、グリップ５の基端側の底面から下側に向かって突設されており、係止溝４５に合致する凸リブからなる。
【００２８】
この例において、ロック手段は、係止溝４５と係止凸部５２とを弾性的に嵌合させることで、グリップ５をロール支持部４に固定しているが、これ以外にグリップ５を固定することができるものであれば、仕様に応じて任意に変更されてよい。
【００２９】
グリップ５は、その外周面５３（図２では上面）が円弧状に形成されており、底面５４は、後述する収納ケース３の収納凹部３２に沿って収納されるため平坦面に形成されている。グリップ５の外周面５３の先端側には、グリップ５を手で把持した際に、手のフィット性をよくするため、親指が押し付けられる凹部５５が設けられている。
【００３０】
グリップ５にはさらに、グリップ５を折り畳んだ際に収納ケース２に係止される係止孔５６が設けられている。図４（ａ）を併せて参照し、係止孔５６は、後述する収納ケース３の係止凸部３３に係止されるように楕円状に形成されており、グリップ５を上下に貫通している。
【００３１】
グリップ５を底面５から見て（図３（ｂ）方向）、係止孔５６の両側には、係止凸部３３を両側から挟み込んで保持する係止リブ５７，５７が一体的に形成されている。係止リブ５７，５７は、係止孔５６の短手方向の両側面に隣接して立設されており、その対向面には、係止凸部３３の係止溝３３１に係止される半球状の凸部５８，５８が一体的に設けられている。
【００３２】
図４を参照して、収納ケース３は、一端に粘着テープロールＴを含むクリーナー本体２が差し込まれる開口部３１が形成された中空な円筒状に形成されている。収納ケース３の底面は平坦面に凹まされており、その収納凹部３２にグリップ５の底面５４が沿うように折り畳まれるようになっている。
【００３３】
収納凹部３２には、上述した係止孔５６が係止される係止凸部３３が下向きに一体的に突設されている。図４（ｂ）に示すように、係止凸部３３は、付け根側から先端側に向かって幅が拡径されたキノコ状に形成されており、付け根部には、凸部５８，５８が係止される係止溝３３１が設けられている。
【００３４】
収納ケース３の内部には、粘着テープロールＴの粘着面が収納ケース３の内周面に張り付かないようにするための、リブ３４が所定間隔で多数設けられている。この例において、粘着テープの張り付きを防止するとともに、収納ケース３の補強も兼ねてリブ３４を設けているが、テープの張り付き防止を目的とするならば、これ以外の方法であってもよい。
【００３５】
収納ケース３の内部の突き当たり（反開口部側）には、ロール支持部４の先端に設けられたガイド溝４６に差し込まれるガイドリブ３５が設けられている。図４（ｂ）に示すように、ガイドリブ３５は、収納ケース３の左右方向に沿って延在された板状リブからなり、ロール支持部４の先端に形成されたガイド溝４６に沿って差し込まれることにより、ロール支持部４の回転止めと、位置決めを行っている。
【００３６】
次に、図５を参照しながら、この携帯クリーナー１の収納手順の一例について説明する。グリップ５もしくはクリーナー本体２を手で把持したまま、ロール支持部４の先端を収納ケース３の開口部３１側から差し込んでゆく。
【００３７】
ロール支持部４をさらに差し込んでゆくと、ロール支持部４の先端がガイドリブ３５の先端に突き当たる。このとき、グリップ５を左右に回転させて、ガイドリブ３５とガイド溝４６とが互いに平行となる位置にもっていくことで、ガイド溝４６内にガイドリブ３５が案内され、ロール支持部４の先端が収納ケース３の奥まで差し込まれて止まる。
【００３８】
この状態において、粘着テープロールＴは、ガイドリブ３５によって収納ケース３のほぼ中心に収納され、粘着テープロールＴが収納ケース３の内周面に接触することなく収納される。
【００３９】
ロール支持部４を収納ケース３に納めたのち、グリップ５を手で把持して、下側に押し下げることにより、係止溝４５から係止凸部５２が外れて、グリップ５が下側に折り畳まれる。
【００４０】
グリップ５を１８０°折り返すと、図５（ｂ）に示すように、係止孔５６が収納ケース３の係止凸部３３に当接する。この状態でグリップ５をさらに押し込んでゆくと、係止リブ５７，５７が弾性変形しながら広がり、係止凸部３３を挟み込んでゆく。最後に、凸部５８，５８が係止溝３３１に嵌合することにより、グリップ５が収納ケース３に固定される。
【００４１】
収納ケース３にグリップ５が固定されると、収納ケース３の外周面と、グリップ５の外周面とが１つの円弧状に形成されることで、収納ケース３をバックなどの中に入れても、物が挟まったりすることなく、また、手で把持しやすいため、取り出しやすい。使用するに当たっては、同様の手順を逆に繰り返せばよい。
【００４２】
この実施形態において、携帯クリーナー１は、携帯性を考慮した小型でハンディタイプの粘着式清掃具を例にとって説明したが、本発明の収納ケースとクリーナー本体の収納機構を備えていれば、小型タイプに限られることなく、車内清掃用や家屋清掃用の一般的な大型の粘着式清掃具に適用してもよい。
【図面の簡単な説明】
【００４３】
【図１】本発明の一実施形態に係る携帯クリーナー（粘着式清掃具）の収納ケースとクリーナー本体をそれぞれ示す分解正面図。
【図２】クリーナー本体の正面図。
【図３】（ａ）クリーナー本体の平面図、（ｂ）クリーナー本体の底面図。
【図４】（ａ）収納ケースの中央横断面図、（ｂ）収納ケースの中央縦断面図。
【図５】（ａ）収納ケースにクリーナー本体を差し込んだ状態の要部断面図、（ｂ）収納ケースにグリップを固定した状態の要部断面図。
【符号の説明】
【００４４】
１  携帯クリーナー（粘着式清掃具）
２  クリーナー本体
３  収納ケース
３２  収納凹部
３３  係止凸部
３５  ガイドリブ
４  ロール保持部
４２  ストッパー
４５  係止溝
４６  ガイド溝
５  グリップ
５１  回転軸
５２  係止凸部
５６  係止孔
Ｔ  粘着テープロール
【図１】
0004929210.tif 000002
【図２】
0004929210.tif 000003
【図３】
0004929210.tif 000004
【図４】
0004929210.tif 000005
【図５】
0004929210.tif 000006